(57)【要約】【課題】特有の機能を備える装置が特有の機能の利用に関する情報のみを受け付ける場合と比較して、情報の集約に貢献できる情報処理装置及び情報処理プログラムを提供する。【解決手段】情報処理装置１０は、特有の機能を備える装置の利用権限に関するログイン情報を取得するログイン情報取得部１０１と、ログイン情報取得部１０１により取得されたログイン情報が認証されることによってユーザが装置にログインしている間に、特有の機能の利用を伴わない情報を発信可能な携帯端末を検出する検出部１０２と、検出部１０２により検出された携帯端末を特定する情報と、ログイン情報に示されるユーザを特定する情報とを関連付けて登録する登録部１０３と、を有する。【選択図】図３
2019159928.tif 000002
【特許請求の範囲】
【請求項１】
特有の機能を備える装置の利用権限に関するログイン情報を取得するログイン情報取得部と、
前記ログイン情報取得部により取得されたログイン情報が認証されることによってユーザが前記装置にログインしている間に、前記特有の機能の利用を伴わない情報を発信可能な携帯端末を検出する検出部と、
前記検出部により検出された前記携帯端末を特定する情報と、前記ログイン情報に示される前記ユーザを特定する情報とを関連付けて登録する登録部と、
を有する情報処理装置。
【請求項２】
前記携帯端末から前記特有の機能の利用を伴わない情報を受信する受信部と、
前記携帯端末を特定する情報と前記ユーザを特定する情報とが関連付けて登録された後は、前記携帯端末から受信した前記特有の機能の利用を伴わない情報を、前記ユーザを特定する情報に関連付けて記憶する記憶部と、
をさらに備える、請求項１記載の情報処理装置。
【請求項３】
前記受信部は、前記携帯端末から、前記携帯端末とは別の機器を中継して、前記特有の機能の利用を伴わない情報及び前記携帯端末を特定する情報を受信する請求項２記載の情報処理装置。
【請求項４】
前記特有の機能の利用を伴わない情報は、前記ユーザの個人に関する個人情報である請求項１〜３の何れか一項記載の情報処理装置。
【請求項５】
前記個人情報は、前記ユーザの生体に関する生体情報である請求項４記載の情報処理装置。
【請求項６】
ユーザの生体情報をユーザから取得する生体情報取得部を更に有し、
前記登録部は、前記携帯端末を特定する情報と前記ユーザを特定する情報とを関連付けた後は、前記生体情報取得部により取得したユーザの生体情報と、前記携帯端末が前記特有の機能の利用を伴わない情報として検出した生体情報とを比較して、一致しない場合に、前記ユーザを特定する情報と前記携帯端末を特定する情報との関連付けを解除する請求項５記載の情報処理装置。
【請求項７】
前記登録部は、前記検出部が複数の携帯端末を検出した場合、前記登録部に既に登録されている前記携帯端末を特定する情報により特定される携帯端末を除いて、残った未登録の携帯端末を特定する情報と、ログインしている前記ユーザを特定する情報とを関連付ける請求項１〜６の何れか一項記載の情報処理装置。
【請求項８】
特有の機能を備える装置の利用権限に関するログイン情報を取得するログイン情報取得ステップと、
前記ログイン情報取得ステップにおいて取得されたログイン情報が認証されることによってユーザが前記装置にログインしている間に、前記特有の機能の利用を伴わない情報を発信可能な携帯端末を検出する検出ステップと、
前記検出ステップにおいて検出された前記携帯端末を特定する情報と、前記ログイン情報に示される前記ユーザを特定する情報とを関連付けて登録する登録ステップと、
をコンピュータに実行させる情報処理プログラム。
【発明の詳細な説明】
【技術分野】
【０００１】
本発明の技術は、情報処理装置及び情報処理プログラムに関する。
【背景技術】
【０００２】
特許文献１には、画像処理装置であって、前記画像処理装置にジョブを実行させるユーザの生体情報であって前記ユーザの状態を反映して変化する生体情報を取得する取得手段と、前記ジョブの情報と前記ユーザの前記生体情報とを互いに関連付けて登録する動作を制御する登録制御手段と、を備えることを特徴とする画像処理装置が開示されている。
【０００３】
特許文献２には、画像処理装置であって、操作画面を表示する表示手段と、前記操作画面を用いた操作を行うユーザの生体情報であって前記ユーザの状態を反映して変化する生体情報を取得する取得手段と、前記操作画面の情報と前記ユーザの前記生体情報とを互いに関連付けて登録する動作を制御する登録制御手段と、を備えることを特徴とする画像処理装置が開示されている。
【先行技術文献】
【特許文献】
【０００４】
【特許文献１】特開２０１７−１７５２２２号公報
【特許文献２】特開２０１７−１７０６４７号公報
【発明の概要】
【発明が解決しようとする課題】
【０００５】
特有の機能を備える装置において、ユーザが当該特有の機能を利用する際に、ユーザに対して利用権限に関するログイン情報の入力を要求する場合がある。特有の機能は、例えば、印刷機能であり、この場合、特有の機能を備える装置は、例えば、印刷機又は複合機である。
【０００６】
このように、特有の機能を備える装置は、特有の機能の利用に関する情報のみを受け付ける。しかし、近年では、ユーザが存在する環境には、様々な特有の機能を備える機器が存在する。個別の機器で、それぞれに特有の機能に関する情報のみを受け付けるのでは、情報が分散してしまう。特に、複数のユーザが共有で使用するような装置は、複数のユーザと接点があるため、情報の集約には適している。
【０００７】
本発明は、特有の機能を備える装置が特有の機能の利用に関する情報のみを受け付ける場合と比較して、情報の集約に貢献できる情報処理装置及び情報処理プログラムを提供することを目的とする。
【課題を解決するための手段】
【０００８】
請求項１記載の発明は、特有の機能を備える装置の利用権限に関するログイン情報を取得するログイン情報取得部と、前記ログイン情報取得部により取得されたログイン情報が認証されることによってユーザが前記装置にログインしている間に、前記特有の機能の利用を伴わない情報を発信可能な携帯端末を検出する検出部と、前記検出部により検出された前記携帯端末を特定する情報と、前記ログイン情報に示される前記ユーザを特定する情報とを関連付けて登録する登録部と、を有する情報処理装置である。
【０００９】
請求項２記載の発明は、前記携帯端末から前記特有の機能の利用を伴わない情報を受信する受信部と、前記携帯端末を特定する情報と前記ユーザを特定する情報とが関連付けて登録された後は、前記携帯端末から受信した前記特有の機能の利用を伴わない情報を、前記ユーザを特定する情報に関連付けて記憶する記憶部と、をさらに備える。
【００１０】
請求項３記載の発明においては、前記受信部は、前記携帯端末から、前記携帯端末とは別の機器を中継して、前記特有の機能の利用を伴わない情報及び前記携帯端末を特定する情報を受信する。
【００１１】
請求項４記載の発明においては、前記特有の機能の利用を伴わない情報は、前記ユーザの個人に関する個人情報である。
【００１２】
請求項５記載の発明においては、前記個人情報は、前記ユーザの生体に関する生体情報である。
【００１３】
請求項６記載の発明においては、ユーザの生体情報をユーザから取得する生体情報取得部を更に有し、前記登録部は、前記携帯端末を特定する情報と前記ユーザを特定する情報とを関連付けた後は、前記生体情報取得部により取得したユーザの生体情報と、前記携帯端末が前記特有の機能の利用を伴わない情報として検出した生体情報とを比較して、一致しない場合に、前記ユーザを特定する情報と前記携帯端末を特定する情報との関連付けを解除する。
【００１４】
請求項７記載の発明は、前記登録部は、前記検出部が複数の携帯端末を検出した場合、前記登録部に既に登録されている前記携帯端末を特定する情報により特定される携帯端末を除いて、残った未登録の携帯端末を特定する情報と、ログインしている前記ユーザを特定する情報とを関連付ける。
【００１５】
請求項８記載の発明は、特有の機能を備える装置の利用権限に関するログイン情報を取得するログイン情報取得ステップと、前記ログイン情報取得ステップにおいて取得されたログイン情報が認証されることによってユーザが前記装置にログインしている間に、前記特有の機能の利用を伴わない情報を発信可能な携帯端末を検出する検出ステップと、前記検出ステップにおいて検出された前記携帯端末を特定する情報と、前記ログイン情報に示される前記ユーザを特定する情報とを関連付けて登録する登録ステップと、をコンピュータに実行させる情報処理プログラムである。
【発明の効果】
【００１６】
請求項１記載の発明によれば、特有の機能を備える装置が特有の機能の利用に関する情報のみを受け付ける場合と比較して、情報の集約に貢献できる。
【００１７】
請求項２記載の発明によれば、特有の機能の利用を伴わない情報を、ユーザを特定する情報に関連付けて記憶し、ユーザ毎に情報を蓄積できる。
【００１８】
請求項３記載の発明によれば、携帯端末から間接的に、特有の機能の利用を伴わない情報を受信できる。
【００１９】
請求項４記載の発明によれば、特有の機能とは全く異なる個人情報を集約できる。
【００２０】
請求項５記載の発明によれば、健康を管理できる。
【００２１】
請求項６記載の発明によれば、ユーザを特定する情報に、誤った携帯端末を特定する情報を関連付けることを回避できる。
【００２２】
請求項７記載の発明によれば、携帯端末を特定する情報を、ユーザを特定する情報に自動的に関連付けられる。
【００２３】
請求項８記載の発明によれば、特有の機能を備える装置が特有の機能の利用に関する情報のみを受け付ける場合と比較して、情報の集約に貢献できる。
【図面の簡単な説明】
【００２４】
【図１】本発明の技術の実施形態に係る情報処理システムの概略構成の一例を示す図である。
【図２】情報処理装置のハードウェア構成を示すブロック図である。
【図３】情報処理装置の機能構成の例を示すブロック図である。
【図４】情報処理装置による情報処理のうち、関連付処理の流れを示すフローチャートである。
【図５】検出された携帯端末を示す情報のリストを示す図である。
【図６】ユーザを特定する情報に、携帯端末を特定する情報が関連付けられた管理情報を示す図である。
【図７】情報処理装置による情報処理のうち、情報受信処理の流れを示すフローチャートである。
【図８】携帯端末とは別の機器を中継して、情報処理装置１０が生体情報を受信する例を示す図である。
【図９】変形例２の情報処理装置１０の関連付処理の流れを示すフローチャートである。
【発明を実施するための形態】
【００２５】
以下、本発明の技術の実施形態の一例を、図面を参照しつつ説明する。なお、各図面において同一又は等価な構成要素及び部分には同一の参照符号を付与している。また、図面の寸法比率は、説明の都合上誇張されており、実際の比率とは異なる場合がある。
【００２６】
図１は、本発明の技術の実施形態に係る情報処理システムの概略構成の一例を示す図である。
【００２７】
図１に示すように、情報処理システム１は、情報処理装置１０、携帯端末２０及びサーバ３０を有する。
【００２８】
情報処理装置１０は、特有の機能を備える装置に組み込まれている。本実施形態では、特有の機能を備える装置が画像形成機能を有する画像形成装置４０である場合について説明する。画像形成装置４０は、ユーザの指示に従って、印刷、複写、スキャン、及びファクシミリ等の画像形成に関する機能を、特有の機能として実行する装置である。情報処理装置１０は、ユーザが画像形成装置４０の画像形成機能を利用する際、ユーザの利用権限に関するログイン情報に基づき、ユーザの利用権限を確認する。ログイン情報は、例えば、ＩＣチップが埋設されたＩＣカード２１を画像形成装置４０が備えるＩＣカードリーダが読み込むことによって、又は、ユーザが画像形成装置４０にユーザＩＤ及びパスワードを入力することによって、情報処理装置１０に取得される。
【００２９】
さらに、情報処理装置１０は、画像形成装置４０の処理とは関係なく、ユーザが有する携帯端末２０をユーザと関連付けて登録する。詳細については、後述する。
【００３０】
携帯端末２０は、ユーザが携帯する端末であり、画像形成装置４０の画像形成機能の利用を伴わない情報を発信可能な端末である。画像形成機能の利用を伴わない情報とは、ユーザの個人に関する個人情報であり、例えば、ユーザの生体に関する生体情報である。生体情報とは、例えば、ユーザの心拍数、脈波、体温、又は運動量等の情報である。携帯端末２０は、ユーザから生体情報を取得し、取得した生体情報を情報処理装置１０に送信する。携帯端末２０から発信される生体情報は、情報処理装置１０に受信され、ユーザ（ＩＤ）と関連付けてサーバ３０に送信される。携帯端末２０は、例えば、時計等のようにユーザが身に付けられるウェアラブル端末である。
【００３１】
サーバ３０は、ローカルサーバ又はクラウドサーバであり、画像形成装置４０における画像形成に関する情報、及び、携帯端末２０において取得された生体情報を、情報処理装置１０から受信し、記憶する。
【００３２】
次に、情報処理装置１０のハードウェア構成について説明する。
【００３３】
図２は、情報処理装置のハードウェア構成を示すブロック図である。
【００３４】
図２に示すように、情報処理装置１０は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ストレージ１４、ディスプレイ１５、及び通信インタフェース１６の各構成を有する。各構成は、バス１９を介して相互に通信可能に接続されている。各構成は、画像形成装置４０のハードウェア構成として、画像形成装置４０と共有されてもよい。
【００３５】
ＣＰＵ１１は、中央演算処理ユニットであり、各種プログラムを実行したり、各部を制御したりする。すなわち、ＣＰＵ１１は、ＲＯＭ１２又はストレージ１４からプログラムを読み出し、ＲＡＭ１３を作業領域としてプログラムを実行する。ＣＰＵ１１は、ＲＯＭ１２又はストレージ１４に記録されているプログラムにしたがって、上記各構成の制御及び各種の演算処理を行う。本実施形態では、ＲＯＭ１２又はストレージ１４には、情報処理プログラムが格納されている。
【００３６】
ＲＯＭ１２は、各種プログラム及び各種データを格納する。ＲＡＭ１３は、作業領域として一時的にプログラム又はデータを記憶する。ストレージ１４は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）により構成され、オペレーティングシステムを含む各種プログラム、及び各種データを格納する。
【００３７】
ディスプレイ１５は、例えば、液晶ディスプレイであり、各種の情報を表示する。ディスプレイ１５は、タッチパネル方式を採用して、操作部として機能しても良い。
【００３８】
通信インタフェース１６は、携帯端末２０及びサーバ３０等の他の機器と通信するためのインタフェースであり、たとえば、イーサネット（登録商標）、ＦＤＤＩ、Ｗｉ−Ｆｉ（登録商標）等の規格が用いられる。
【００３９】
次に、情報処理装置１０の機能構成について説明する。
【００４０】
図３は、情報処理装置の機能構成の例を示すブロック図である。
【００４１】
図３に示すように、情報処理装置１０は、機能構成として、ログイン情報取得部１０１、検出部１０２、登録部１０３、受信部１０４、記憶部１０５、及び生体情報取得部１０６を有する。各機能構成は、ＣＰＵ１１がＲＯＭ１２又はストレージ１４に記憶された情報処理プログラムを読み出して実行することにより実現される。
【００４２】
ログイン情報取得部１０１は、特有の機能を備える装置の利用権限に関するログイン情報を取得する。上述のように、本実施形態では、特有の機能を備える装置は、画像形成機能を備える画像形成装置４０である。ログイン情報取得部１０１は、画像形成装置４０を利用するために、ユーザが画像形成装置４０のＩＣカードリーダにかざしたＩＣカード２１からユーザのログイン情報を取得する。ログイン情報は、例えば、ユーザを表すユーザＩＤと、当該ユーザＩＤに関連付けられたパスワードとを含む。取得されたログイン情報は、画像形成装置４０又はサーバ３０に予め記憶されている管理情報と比較され、比較結果により、ユーザに利用権限があるか否かが判断される。管理情報は、例えば、ユーザＩＤにパスワード及び利用権限が関連付けられた情報である（図６参照）。管理情報に対して、ログイン情報を照会することにより、ユーザＩＤとパスワードの組合せが正しいかが判定され、正しい場合に、さらに、ユーザＩＤに対して与えられる利用権限が参照される。利用権限の範囲内の利用であれば、ログイン情報が認証される。
【００４３】
検出部１０２は、ログイン情報取得部１０により取得されたログイン情報が認証されることによってユーザが画像形成装置４０にログインしている間に、画像形成機能の利用を伴わない情報を発信可能な携帯端末２０を検出する。具体的な例としては、ユーザが携帯端末２０を持った状態で、画像形成装置４０に近づき、当該画像形成装置４０の画像形成機能の利用のためにログインしたとする。このとき、携帯端末２０は、画像形成機能の利用には特に無関係である。しかし、画像形成装置４０内の情報処理装置１０は、携帯端末２０を検出する。情報処理装置１０は、例えば、Ｂｌｕｅｔｏｏｔｈ（登録商標）、ＢＬＥ（Ｂｌｕｅｔｏｏｔｈ（登録商標）  Ｌｏｗ  Ｅｎｅｒｇｙ）、Ｗｉ−Ｆｉ（登録商標）、ＮＦＣ（Ｎｅａｒ  Ｆｉｅｌｄ  Ｃｏｍｍｕｎｉｃａｔｉｏｎ）等の近距離無線通信により、画像形成装置４０の近辺で通信可能な携帯端末２０を検出する。
【００４４】
登録部１０３は、検出部１０２により検出された携帯端末２０を特定する情報と、ログイン情報に示されるユーザを特定する情報とを関連付けて登録する。携帯端末２０を特定する情報は、携帯端末２０に固有に割り当てられた名称、文字列または番号であり、例えば、携帯端末２０のＭＡＣアドレスである。ユーザを特定する情報は、ログイン情報に含まれるユーザＩＤである。
【００４５】
受信部１０４は、登録部１０３によりユーザと関連付けて登録された携帯端末２０からユーザの生体情報を受信する。
【００４６】
記憶部１０５は、登録部１０３により携帯端末２０を特定する情報とユーザを特定する情報とが関連付けて登録された後は、携帯端末２０から受信した生体情報を、ユーザを特定する情報に関連付けて記憶する。記憶部１０５において記憶された生体情報は、記憶部１０５から、サーバ３０に転送されてもよい。
【００４７】
生体情報取得部１０６は、ユーザの生体情報をユーザから取得する。つまり、生体情報取得部１０６は、携帯端末２０を介することなく、ユーザから直接生体情報を取得する。このために、情報処理装置１０は、図示しない脈拍センサ又は心拍センサ等の生体情報を取得するためのセンサを有し、生体情報取得部１０６として、画像形成装置４０においてユーザの生体情報を取得する。
【００４８】
次に、情報処理装置１０の作用について説明する。まず、情報処理装置１０により、ユーザのログイン情報に、画像形成の機能の利用を伴わない情報を発信する携帯端末２０を関連付ける関連付処理について説明する。続けて、関連付処理の後、情報処理装置１０が携帯端末２０から、画像形成の機能の利用を伴わない情報を受信する情報受信処理について説明する。
【００４９】
図４は、情報処理装置による情報処理のうち、関連付処理の流れを示すフローチャートである。ＣＰＵ１１がＲＯＭ１２又はストレージ１４から情報処理プログラムを読み出して、ＲＡＭ１３に展開して実行することにより、情報処理が行なわれる。図５は、検出された携帯端末を示す情報のリストを示す図である。図６は、ユーザを特定する情報に、携帯端末を特定する情報が関連付けられた管理情報を示す図である。
【００５０】
ＣＰＵ１１は、ログイン情報取得部１０１として、ログイン情報を取得したか否か判断する（ステップＳ１０１）。ログイン情報は、上述の通り、ユーザがＩＣカード２１を画像形成装置４０が備えるＩＣカードリーダにかざすか、ユーザＩＤ及びパスワードをディスプレイ１５又は携帯端末２０を介してユーザが入力することにより、ログイン情報取得部１０１に取得される。
【００５１】
ログイン情報が取得されない場合（ステップＳ１０１：ＮＯ）、ＣＰＵ１１は、ログイン情報を取得するまで待機する。ログイン情報が取得された場合（ステップＳ１０１：ＹＥＳ）、ＣＰＵ１１は、ログイン情報を、管理情報に照会する（ステップＳ１０２）。管理情報は、情報処理装置１０が保有していてもよいし、サーバ３０に保有されていてもよい。
【００５２】
ＣＰＵ１１は、ログイン情報を管理情報に照会した結果、ログイン情報が認証されるか否かを判断する（ステップＳ１０３）。ログイン情報に含まれるユーザＩＤ及びパスワードの組合せが、管理情報に記憶されているユーザＩＤとパスワードとの組合せと合致することにより、ログイン情報が認証される。ログイン情報が認証されない場合（ステップＳ１０３：ＮＯ）、ＣＰＵ１１は、認証が失敗した旨をディスプレイ１５に表示し、関連付処理を終了する（ステップＳ１０４）。
【００５３】
ログイン情報が認証された場合（ステップＳ１０３：ＹＥＳ）、ＣＰＵ１１は、ユーザから携帯端末２０を追加したい旨の要求があるか否か判断する（ステップＳ１０５）。情報処理装置１０は、例えば、ユーザによる所定の操作に伴い、ディスプレイ１５に、携帯端末２０の追加要求のためのアイコン又はボタンを表示し、当該アイコン又はボタンがユーザのタッチ等により選択されることで、追加要求があると判断する。追加要求がない場合（ステップＳ１０５：ＮＯ）、ＣＰＵ１１は、関連付処理を終了する。なお、ＣＰＵ１１による関連付処理が終了される場合でも、ユーザがログインしている限りは、画像形成装置４０による画像形成の機能がユーザにより利用されてもよい。
【００５４】
追加要求があった場合（ステップＳ１０５：ＹＥＳ）、ＣＰＵ１１は、検出部１０２として、近距離無線通信が可能な携帯端末２０を検出し、検出した携帯端末２０を特定する情報をリストとして表示する（ステップＳ１０６）。リストは、例えば図５に示すように表示される。図５においては、携帯端末２０を特定する情報として、文字列２０１が示される。文字列２０１の隣には、検出された携帯端末２０と情報処理装置１０とが通信する際の電波強度２０２も示される。電波強度２０２は、例えば図５に示すように、電波を表す黒塗りの図形の数が多い程、強いことを示す。図５では、電波強度が強い順に、検出された携帯端末２０を特定する情報が示される。
【００５５】
ＣＰＵ１１は、リストから、特定の文字列２０１が選択されたか否か、すなわち、任意の携帯端末２０が選択されたか否か判断する（ステップＳ１０７）。任意の携帯端末２０が選択されない場合（ステップＳ１０７：ＮＯ）、ＣＰＵ１１は、関連付処理を終了する。
【００５６】
任意の携帯端末２０が選択された場合（ステップＳ１０７：ＹＥＳ）、ＣＰＵ１１は、登録部１０３として、選択された携帯端末２０を特定する文字列２０１と、ログイン情報に示されるユーザを特定する情報とを関連付けて登録する（ステップＳ１０８）。登録部１０３により、図６に示すように、管理情報に、携帯端末２０に関する関連付け情報が加えられる。管理情報は、本来は、画像形成装置４０の特有の機能の利用のために管理される情報である。しかし、登録部１０３により、画像形成装置４０の特有の機能の利用とは関係のない携帯端末２０が関連付けられることになる。
【００５７】
次に、上記の関連付処理の後、情報処理装置１０が携帯端末２０から、画像形成の機能の利用を伴わない情報を受信する情報受信処理について説明する。
【００５８】
図７は、情報処理装置による情報処理のうち、情報受信処理の流れを示すフローチャートである。ＣＰＵ１１がＲＯＭ１２又はストレージ１４から情報処理プログラムを読み出して、ＲＡＭ１３に展開して実行することにより、情報処理が行なわれる。
【００５９】
ＣＰＵ１１は、携帯端末２０から、画像形成装置４０の特有の機能の利用を伴わない情報、すなわち個人情報である生体情報を受信したか否か判断する（ステップＳ２０１）。
【００６０】
生体情報を受信しない場合（ステップＳ２０１：ＮＯ）、ＣＰＵ１１は、生体情報を受信するまで待機する。生体情報を受信した場合（ステップＳ２０１：ＹＥＳ）、ＣＰＵ１１は、生体情報を送信した携帯端末２０を特定する（ステップＳ２０２）。ここで、生体情報には、送信元の携帯端末２０を特定する情報が付随されている。したがって、ＣＰＵ１１は、付随する携帯端末２０を特定する情報を参照して、送信元の携帯端末２０を特定する。ＣＰＵ１１は、図６の管理情報を参照して、特定した携帯端末２０が関連付けられたユーザ及びユーザを特定する情報（ユーザＩＤ）を判断する。
【００６１】
そして、ＣＰＵ１１は、記憶部１０５として、ステップＳ２０２で特定した携帯端末２０が関連付けられたユーザＩＤに、受信した生体情報を関連付けて、ストレージ１４又はＲＡＭ１３に記憶する（ステップＳ２０３）。ユーザＩＤと生体情報とは、サーバ３０に転送されてもよい。
【００６２】
以上のように、図４に示す関連付処理により、ユーザに携帯端末２０が一旦関連付けられると、図７に示す情報受信処理により、携帯端末２０から送信された生体情報は、ユーザと関連付けて記憶される。したがって、ユーザが、画像形成装置４０の特有の機能を利用するために画像形成装置４０に近づいた際、あるいは、画像形成装置４０の傍をたまたま通りすぎた際に、ユーザが意識することなく生体情報が情報処理装置１０に収集される。このように、情報処理装置１０により、画像形成装置４０は、自身の特有の機能とは全く関係のない情報をユーザから収集し記憶する情報収集装置として機能される。特に、上記実施形態では、画像形成装置４０の特有の機能の利用を伴わない情報として、生体情報を収集するので、収集した生体情報に基づいて、ユーザの健康状態等を管理することが考えられる。
【００６３】
以上、情報処理装置１０による情報処理について説明してきたが、情報処理装置１０は、発明の技術的思想の範囲内において、種々の改良及び改変が可能である。
【００６４】
上記実施形態では、単一の画像形成装置４０が登場する例について説明した。しかし、複数の画像形成装置４０が存在する環境においても、本実施形態を適用できる。複数の画像形成装置４０が存在する場合、図６に示す管理情報は、例えば、サーバ３０に記憶される。これにより、複数の画像形成装置４０に、共通の管理情報が利用される。換言すると、一台の画像形成装置４０において、図６に示すように、ユーザＩＤに、携帯端末２０を特定する情報が関連付けられると、当該関連付けが全て画像形成装置４０において共有される。
【００６５】
また、上記実施形態においては、特有の機能を備える装置の例として、画像形成装置４０を挙げて説明したが、特有の機能を備える装置は、画像形成装置４０に限定されない。本発明は、オフィス又は公共施設等に設置され、複数の人が利用する他の装置にも適用できる。例えば、本発明は、オフィス等の入退室を管理するＩＣカードリーダ等に適用できる。ＩＣカードリーダは、ユーザが入退室する際に、ユーザがかざしたＩＣカードと通信を行い、ユーザＩＤ及びパスワード等の情報を取得する。ここで、上述のように、入退室の機能とは関係のない個人情報を送信する携帯端末を、ＩＣカードリーダで入退室の認証のための管理情報に関連付けてもよい。以下、さらなる変形例を説明する。
【００６６】
（変形例１）
上記実施形態においては、管理情報のユーザＩＤに関連付けられた携帯端末２０から生体情報を受信する形態について説明した。しかし、管理情報に携帯端末２０が関連付けられた後であり、携帯端末２０を特定する情報が付随されて生体情報が送信される場合、情報処理装置１０は、携帯端末２０とは別の機器を中継して、生体情報を受信してもよい。
【００６７】
図８は、携帯端末とは別の機器を中継して、情報処理装置１０が生体情報を受信する例を示す図である。
【００６８】
図８に示す例では、ユーザは、ユーザから生体情報を取得するウェアラブルな携帯端末２０を有し、さらに、別の機器として、タブレット又はスマートフォンのような携帯端末５０を携帯している。携帯端末５０は、携帯端末２０と、近距離無線通信により接続されており、携帯端末２０で取得された生体情報は、携帯端末２０を特定する情報と共に携帯端末５０に逐次送信されている。また、図６に示すように管理情報には、ユーザＩＤに関連する携帯端末として、携帯端末２０及び携帯端末５０が既に登録されているとする。
【００６９】
ここで、携帯端末５０が携帯端末２０から生体情報を受信して蓄積し、ユーザが画像形成装置４０に近づいた際に、携帯端末５０が情報処理装置１０に生体情報をまとめて送信する場合を考える。この場合、情報処理装置１０は、生体情報に付随する携帯端末２０を特定する情報から、関連するユーザＩＤを特定し、ユーザＩＤに関連付けて生体情報を記憶する。つまり、情報処理装置１０は、生体情報を受信したときに通信している携帯端末５０が、携帯端末２０とは別の機器であることは問題としない。情報処理装置１０は、受信した生体情報と、生体情報に付随する携帯端末２０を特定する情報とだけを参照して、ユーザＩＤと生体情報とを関連付けて記憶する。
【００７０】
（変形例２）
図９は、変形例２の情報処理装置１０の関連付処理の流れを示すフローチャートである。なお、図９に示す関連付処理の前提として、情報処理装置１０は、ユーザの生体情報を取得する生体情報取得部１０６を有する。
【００７１】
また、図９に示す関連付処理において、図４に示す関連付処理と同じ内容の工程については、同じ参照番号を付している。すなわち、ステップＳ１０１〜ステップＳ１０８までは、図４に示す関連付処理の工程と同じである。したがって、ステップＳ１０８までの説明を省略し、ステップＳ３０１から説明する。
【００７２】
ＣＰＵ１１は、携帯端末２０から生体情報を受信する（ステップＳ３０１）。ここで、生体情報は、携帯端末２０から直接受信してもよいし、上記変形例１のように他の端末５０を介して受信してもよい。続けて、ＣＰＵ１１は、生体情報取得部１０６として、ユーザから直接生体情報を取得する（ステップＳ３０２）。
【００７３】
ＣＰＵ１１は、ステップＳ３０１で受信した生体情報と、ステップＳ３０２で取得した生体情報とが一致するか否かを判断する（ステップＳ３０３）。例えば、生体情報として、脈波の情報をステップＳ３０１及びステップＳ３０２において取得する場合、ＣＰＵ１１は、脈波が一致するか否かを判断する。生体情報が一致するか否かの判断において、厳密に数値が一致していなくても、所定の誤差を許容して一致と判断してもよい。
【００７４】
生体情報が一致する場合（ステップＳ３０３：ＹＥＳ）、ＣＰＵ１１は、関連付処理を終了する。
【００７５】
生体情報が一致しない場合（ステップＳ３０３：ＮＯ）、ＣＰＵ１１は、ステップＳ１０８で行なったユーザを特定する情報と携帯端末２０を特定する情報との関連付けを、解除する（ステップＳ３０４）。生体情報が一致しない場合、ステップＳ１０７においてユーザが誤った携帯端末２０をユーザＩＤに関連付けようとした可能性があるからである。そして、ＣＰＵ１１は、関連付処理を終了する。あるいは、ステップＳ３０４の後、ＣＰＵ１１は、ステップＳ１０６の処理に戻り、再度ユーザに、携帯端末２０を選択させてもよい。
【００７６】
このように、変形例２おいては、ユーザがステップＳ１０７において、正しい携帯端末２０を選択したか、確認のためのチェックを行なう。
【００７７】
（変形例３）
上記実施形態においては、図５に示すように、情報処理装置１０が近距離無線通信により検出した携帯端末２０が複数存在する場合、全ての携帯端末２０を、リストとして表示している。しかし、変形例３では、リストに表示する携帯端末２０を限定する。リストに表示する携帯端末２０を限定する手順を、以下に説明する。
【００７８】
まず、情報処理装置１０は、近距離無線通信により通信できる全ての携帯端末２０を検出する。ここで、情報処理装置１０は、近距離無線通信できる全ての携帯端末２０を特定する情報を取得する。そして、情報処理装置１０は、検出した全ての携帯端末２０を、図６に示す管理情報においてユーザＩＤに既に関連付けられている携帯端末と照会し、一致するか否かを判断する。検出した携帯端末が、既に特定のユーザＩＤに関連付けられている携帯端末である場合、該当する携帯端末を、図５に示すリストから削除する。
【００７９】
この結果、管理情報に登録されていない携帯端末２０だけがリストに残る。リストに残った携帯端末２０が一つだけの場合、情報処理装置１０は、図４のステップＳ１０７によるユーザの選択を待つことなく、リストに残った携帯端末２０を自動的にユーザＩＤに関連付けて管理情報に登録してもよい。
【００８０】
上記の処理は、専用のハードウェア回路によっても実現することもできる。この場合には、１つのハードウェアで実行されてもよいし、複数のハードウェアで実行されてもよい。
【００８１】
また、情報処理装置１０を動作させるプログラムは、ＵＳＢ（Ｕｎｉｖｅｒｓａｌ  Ｓｅｒｉａｌ  Ｂｕｓ）メモリ、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、メモリ又はストレージ等に転送され記憶される。また、このプログラムは、たとえば、単独のアプリケーションソフトとして提供されてもよいし、情報処理装置１０又は画像形成装置４０の一機能としてその各装置のソフトウェアに組み込んでもよい。
【符号の説明】
【００８２】
１０   情報処理装置
１１   ＣＰＵ
１２   ＲＯＭ
１３   ＲＡＭ
１４   ストレージ
１５   ディスプレイ
１６   通信インタフェース
１９   バス
２０   携帯端末
２１   ＩＣカード
３０   サーバ
４０   画像形成装置
５０   携帯端末
１０１ ログイン情報取得部
１０２ 検出部
１０３ 登録部
１０４ 受信部
１０５ 記憶部
１０６ 生体情報取得部
２０１ 文字列
２０２ 電波強度
【図１】
2019159928.tif 000003
【図２】
2019159928.tif 000004
【図３】
2019159928.tif 000005
【図４】
2019159928.tif 000006
【図５】
2019159928.tif 000007
【図６】
2019159928.tif 000008
【図７】
2019159928.tif 000009
【図８】
2019159928.tif 000010
【図９】
2019159928.tif 000011